(57)【要約】【課題】  簡易な構成で、街灯の無駄な点灯をなくし、大幅な節電を図ることができる街灯点灯制御装置を提供する。【解決手段】  制御部５が、照度センサ１で検出された照度に基づいて、周囲が暗くなっていることを検知した状態で、移動体検知センサ２で移動体の進入を検知した場合、又は無線部４で街灯の点灯を指示する点灯指示を受信した場合に、街灯６を点灯させてタイマ３を起動させると共に、別の街灯点灯制御装置宛の点灯指示を無線送信し、移動体の通過検知後、又は一定時間経過後に街灯６を消灯する街灯点灯制御装置としている。【選択図】        図１
2009259584.tif 000002
【特許請求の範囲】
【請求項１】
街灯の点灯／消灯を制御する街灯点灯制御装置であって、
周囲の照度を検出する照度センサと、
一定範囲への移動体の進入を検出する移動体検知センサと、
無線信号の送受信を行う無線部と、
一定時間を計時するタイマと、
前記照度センサで検出された照度に基づいて、周囲が暗くなっていることを検知した状態で、前記移動体検知センサで移動体の進入を検知した場合、又は前記無線部で街灯の点灯を指示する点灯指示を受信した場合に、街灯を点灯させて前記タイマを起動すると共に、別の街灯点灯制御装置宛の点灯指示を前記無線部から送信し、前記移動体の通過検知後、又は一定時間経過後に前記街灯を消灯させる制御部とを備えたことを特徴とする街灯点灯制御装置。
【請求項２】
制御部が、自己のＩＤと、近傍に位置する装置のＩＤとを記憶しており、
移動体検知センサで移動体の進入を検知して街灯を点灯した後、自己のＩＤを付して、全ての前記近傍に位置する装置のＩＤを宛先とする点灯指示を無線部から送信することを特徴とする請求項１記載の街灯点灯制御装置。
【請求項３】
制御部が、自己のＩＤと、隣接する装置のＩＤとを記憶しており、
無線部で前記自己のＩＤを宛先とする点灯指示を受信して街灯を点灯した後、予め設定された特定時間内に移動体検知センサで移動体の進入を検知した場合には、前記自己のＩＤを付して、前記隣接する装置のＩＤの内、前記受信した点灯指示に含まれないＩＤを宛先とする点灯指示を無線部から送信し、
前記特定時間内に前記移動体検知センサで移動体の進入を検知しなかった場合には、点灯指示を送信しないことを特徴とする請求項１記載の街灯点灯制御装置。
【請求項４】
隣接する装置のＩＤを２つ記憶していることを特徴とする請求項２又は３記載の街灯点灯制御装置。
【請求項５】
制御部が、自己のＩＤと、近傍に位置する装置のＩＤを方向性を持たせて３つ以上記憶しており、
無線部で前記自己のＩＤを宛先とする点灯指示を受信して街灯を点灯した後、予め設定された特定時間内に移動体検知センサで移動体の進入を検知した場合には、前記自己のＩＤを付して、前記近傍に位置する装置のＩＤの内、前記受信した点灯指示に含まれるＩＤ及び当該ＩＤと同一の方向にあるＩＤを除いた他のＩＤを宛先とする点灯指示を無線部から送信し、
前記特定時間内に前記移動体検知センサで移動体の進入を検知しなかった場合には、点灯指示を送信しないことを特徴とする請求項１記載の街灯点灯制御装置。
【発明の詳細な説明】
【技術分野】
【０００１】
本発明は、無線モジュールを利用して街灯の点灯を制御する街灯点灯制御装置に係り、特に街灯の無駄な点灯をなくして節電を図ることができる街灯点灯制御装置に関する。
【背景技術】
【０００２】
近年、地球温暖化が進行して、大気や海洋の平均温度が上昇を示している。これに伴い、海面水位の上昇や気象の変化が観測され、生態系や人類の活動への悪影響が懸念されている。
地球温暖化の要因は自然に由来する要因と、人為的な要因とに分けられる。２０世紀後半の温暖化は、人間の産業活動に伴って排出された人為的な温室効果ガスが主因となって引き起こされているとする説が有力である。
【０００３】
地球温暖化の対策として様々な自主的な努力や政策による対策（緩和策）が進められ、いくつかはその有効性が認められている。しかしながら、現在のところ、その効果は温暖化を抑制するには全く足りず、現在も温室効果ガスの排出量は増え続けている。また、コストなどを理由として、このような緩和策に反対すら抵抗する国や勢力も存在する。
【０００４】
温室効果ガスの世界的な削減義務としては、京都議定書（１９９５年議決、２００５年発効）によるものが現時点で最も大規模なものである。１９９０年代より議定書の目標達成を目指して温室効果ガス排出量の削減が行われてきた。欧州では順調に削減が進み、目標達成の見込みであるが、主要排出国の中国や米国が京都議定書に参加しておらず、また、先進国のカナダが目標達成をあきらめている。日本も削減義務達成に失敗しそうな情勢である。発展途上国の排出量を抑制する道程も定まっていない。
【０００５】
ところで、道路に設置されている街灯は数が多いため、街灯で消費される電力量はかなりの量になり、地球温暖化の観点からも節電が望まれている。
街灯の節電を図る方法としては、太陽光発電を利用したり、ファンを取り付けて風力発電を利用する方法がある。
【０００６】
次に、従来の街灯の点灯／消灯制御の方法について説明する。
従来の街灯の点灯制御としては、照度センサによる点灯／消灯の制御を行う方法が最も一般的であり、周囲の明るさ（照度）を測定して、測定値が規定値より低ければ街灯を点灯し、規定値以上であれば消灯するようにしている。
【０００７】
また、人感センサーを備えて、人が通ると点灯する方法や、タイマを備えて設定された時間で点灯と消灯を繰り返す方法がある。
更に、一年間の日の出、日の入り、及び薄暮時間をプログラム化して地域や季節変化を自動的に反映させて制御する方法もある。
更にまた、太陽光パネルの電圧を照度センサ代わりに利用して、電圧低下で日没として点灯する方法や、電力線通信により監視センタから集中監視制御を行う方法がある。
【０００８】
［先行技術文献］
尚、街灯に関する先行技術としては、特開２０００−２５１５０２号公報（特許文献１）、特開２００２−１０９６８０号公報（特許文献２）、特開２００２−３３４７９３号公報（特許文献３）がある。
【０００９】
特許文献１には、複数の街灯に情報機器を実装し、街灯ネットワークを介して監視・制御センターによって当該複数の街灯の群管理を行い、また、無線通信を用いて通過する車両に道路交通情報を提供する多機能化街灯ネットワーク・システムが記載されている。
【００１０】
また、特許文献２には、信号機や街路灯等に放送機を設け、携帯受信機を持つ利用者が特定の範囲に入ると、放送機からのＩＤを受信して、「横断歩道です」といったメッセージを出力すると共に、放送機からも音声で同様のメッセージを出力する無線案内システムが記載されている。
【００１１】
また、特許文献３には、街灯に設けられた街灯点灯制御装置が、通行人が所持する携帯情報端末機器から発信された電波を受信して、当該電波に基づいて携帯情報端末機器からの距離を算出し、算出した距離が設定値以下の場合に街灯を点灯させる照明灯点灯制御システムが記載されている。
【００１２】
【特許文献１】特開２０００−２５１５０２号公報
【特許文献２】特開２００２−１０９６８０号公報
【特許文献３】特開２００２−３３４７９３３号公報
【発明の開示】
【発明が解決しようとする課題】
【００１３】
しかしながら、上記従来の街灯の制御方法では、照度センサを備えた構成は、暗くなると点灯し続けるため節電できないという問題点があり、人感センサーを備えた構成は、バス停等では有効であるが車道で用いることはできないという問題点があり、タイマによる制御は、周囲が明るくても点灯してしまうおそれがあるという問題点があった。
【００１４】
また、プログラムを作成して制御を行う構成では、制御が複雑になってしまい、太陽光や風力発電を利用したものは設備にコストがかかり、電力線通信による監視制御はシステムが大がかりになってしまうという問題点があった。
【００１５】
本発明は上記実状に鑑みて為されたもので、簡易な構成で、街灯の無駄な点灯をなくし、大幅な節電を図ることができる街灯点灯制御装置を提供することを目的とする。
【００１６】
尚、上記特許文献１〜３には、車や自転車等の移動体が進入すると街灯を点灯すると共に、隣接する街灯点灯制御装置に無線信号で点灯を指示することは記載されていない。
【課題を解決するための手段】
【００１７】
上記従来例の問題点を解決するための本発明は、街灯の点灯／消灯を制御する街灯点灯制御装置であって、周囲の照度を検出する照度センサと、一定範囲への移動体の進入を検出する移動体検知センサと、無線信号の送受信を行う無線部と、一定時間を計時するタイマと、照度センサで検出された照度に基づいて、周囲が暗くなっていることを検知した状態で、移動体検知センサで移動体の進入を検知した場合、又は無線部で街灯の点灯を指示する点灯指示を受信した場合に、街灯を点灯させてタイマを起動すると共に、別の街灯点灯制御装置宛の点灯指示を無線部から送信し、移動体の通過検知後、又は一定時間経過後に街灯を消灯させる制御部とを備えたことを特徴としている。
【００１８】
また、本発明は、上記街灯点灯制御装置において、制御部が、自己のＩＤと、近傍に位置する装置のＩＤとを記憶しており、移動体検知センサで移動体の進入を検知して街灯を点灯した後、自己のＩＤを付して、全ての当該近傍に位置する装置のＩＤを宛先とする点灯指示を無線部から送信することを特徴としている。
【００１９】
また、本発明は、上記街灯点灯制御装置において、制御部が、自己のＩＤと、隣接する装置のＩＤとを記憶しており、無線部で自己のＩＤを宛先とする点灯指示を受信して街灯を点灯した後、予め設定された特定時間内に移動体検知センサで移動体の進入を検知した場合には、自己のＩＤを付して、隣接する装置のＩＤの内、受信した点灯指示に含まれないＩＤを宛先とする点灯指示を無線部から送信し、特定時間内に移動体検知センサで移動体の進入を検知しなかった場合には、点灯指示を送信しないことを特徴としている。
【００２０】
また、本発明は、上記街灯点灯制御装置において、隣接する装置のＩＤを２つ記憶していることを特徴としている。
【００２１】
また、本発明は、上記街灯点灯制御装置において、制御部が、自己のＩＤと、近傍に位置する装置のＩＤを方向性を持たせて３つ以上記憶しており、無線部で自己のＩＤを宛先とする点灯指示を受信して街灯を点灯した後、予め設定された特定時間内に移動体検知センサで移動体の進入を検知した場合には、自己のＩＤを付して、近傍に位置する装置のＩＤの内、受信した点灯指示に含まれるＩＤ及び当該ＩＤと同一の方向にあるＩＤを除いた他のＩＤを宛先とする点灯指示を無線部から送信し、特定時間内に移動体検知センサで移動体の進入を検知しなかった場合には、点灯指示を送信しないことを特徴としている。
【発明の効果】
【００２２】
本発明によれば、街灯の点灯／消灯を制御する街灯点灯制御装置であって、制御部が、照度センサで検出された照度に基づいて、周囲が暗くなっていることを検知した状態で、移動体検知センサで移動体の進入を検知した場合、又は無線部で街灯の点灯を指示する点灯指示を受信した場合に、街灯を点灯させてタイマを起動すると共に、別の街灯点灯制御装置宛の点灯指示を無線部から送信し、移動体の通過検知後、又は一定時間経過後に街灯を消灯させる街灯点灯制御装置としているので、周囲が暗くなった状態で、移動体が通行している場合と、点灯指示を受信した場合のみ街灯を点灯させ、他の状態では街灯を消灯させるよう制御するので、簡易な構成で、街灯の消費電力を大幅に低減することができる効果がある。
【００２３】
また、本発明によれば、上記街灯点灯制御装置において、制御部が、自己のＩＤと、近傍に位置する装置のＩＤとを記憶しており、移動体検知センサで移動体の進入を検知して街灯を点灯した後、自己のＩＤを付して、全ての当該近傍に位置する装置のＩＤを宛先とする点灯指示を無線部から送信する街灯点灯制御装置としているので、移動体の進行方向が正確にわからなくても、移動体が進行する可能性がある近くの街灯を全て点灯させて、移動体が安全に通行できるようにすることができる効果がある。
【００２４】
また、本発明によれば、上記街灯点灯制御装置において、制御部が、自己のＩＤと、隣接する装置のＩＤとを記憶しており、無線部で自己のＩＤを宛先とする点灯指示を受信して街灯を点灯した後、予め設定された特定時間内に移動体検知センサで移動体の進入を検知した場合には、自己のＩＤを付して、隣接する装置のＩＤの内、受信した点灯指示に含まれないＩＤを宛先とする点灯指示を無線部から送信し、特定時間内に移動体検知センサで移動体の進入を検知しなかった場合には、点灯指示を送信しない街灯点灯制御装置としているので、点灯指示の受信で街灯を点灯した装置が移動体の進行方向であった場合のみ隣接する装置に点灯指示を送信することにより、進行方向に設置された街灯を順次点灯させることができ、移動体を安全に通行させることができると共に、点灯指示を受信して一旦街灯を点灯しても、移動体の進行方向ではなかった場合には、点灯指示を送信せず一定時間経過後に消灯することができ、街灯を無駄に点灯させないようにして節電を図ることができる効果がある。
【００２５】
また、本発明によれば、上記街灯点灯制御装置において、制御部が、自己のＩＤと、近傍に位置する装置のＩＤを方向性を持たせて３つ以上記憶しており、無線部で自己のＩＤを宛先とする点灯指示を受信して街灯を点灯した後、予め設定された特定時間内に移動体検知センサで移動体の進入を検知した場合には、自己のＩＤを付して、近傍に位置する装置のＩＤの内、受信した点灯指示に含まれるＩＤ及び当該ＩＤと同一の方向にあるＩＤを除いた他のＩＤを宛先とする点灯指示を無線部から送信し、特定時間内に移動体検知センサで移動体の進入を検知しなかった場合には、点灯指示を送信しない街灯点灯制御装置としているので、点灯指示を受信して街灯を点灯した後、移動体が来た方向以外、つまりこれから進行する可能性がある方向に設置された街灯を、より先の方まで点灯させることができ、移動体が高速に移動していても遅れることなく街灯を点灯して安全に通行させることができると共に、点灯指示を受信して一旦街灯を点灯しても、移動体の進行方向ではなかった場合には、点灯指示を送信せず一定時間経過後に消灯することができ、街灯を無駄に点灯させないようにして節電を図ることができる効果がある。
【発明を実施するための最良の形態】
【００２６】
［発明の概要］
本発明の実施の形態について図面を参照しながら説明する。
本発明の実施の形態に係る街灯点灯制御装置は、周囲が暗いときに、特定のエリアに自動車や自転車等の移動体が進入してきたことを検出すると、街灯を点灯させると共に、隣接する街灯宛に点灯を指示する無線信号を送信し、点灯後一定時間経過後に消灯するものであり、移動体が特定のエリアに入ってこない場合には街灯を点灯させず、移動体が進入すると、道路に沿って隣接して設置された街灯を点灯させることができ、移動体は支障なく通行することができると共に移動体の通行がない場合には消灯して、大幅に節電を図ることができるものである。
【００２７】
また、本発明の実施の形態に係る街灯点灯制御装置は、周囲が暗いときに、自己宛の点灯指示を受信すると街灯を点灯し、移動体の進入を検出すると、受信した点灯指示の送信元以外の隣接する街灯宛に点灯を指示する無線信号を送信し、点灯後一定時間経過後に消灯するものであり、移動体の進行方向に合わせて順次街灯を点灯でき、また、進行方向と反対側の街灯は点灯させないようにして、節電を図ることができるものである。
【００２８】
また、本発明の実施の形態に係る街灯点灯制御装置は、近傍に位置する複数の装置を方向に対応付けて記憶しておき、点灯指示を受信して点灯して、近傍に位置する装置に点灯指示を送信する場合に、受信した点灯指示の送信元と、送信元と同一の方向に対応して記憶されている装置を除く他の装置宛に点灯指示を送信するものであり、移動体が来た方向以外の方向に設置された街灯を、より先の方まで点灯させることができ、移動体が高速に移動している場合でも対応できるものである。
【００２９】
［実施の形態の概要：図１］
本発明の実施の形態に係る街灯点灯制御装置について、図１を用いて説明する。図１は、本発明の実施の形態に係る街灯点灯制御装置の基本的な動作の概略を示す模式説明図である。
図１に示すように、本発明の実施の形態に係る街灯点灯制御装置は、車道に設置された街灯毎に設けられ、街灯を車両の通行に応じて点灯／消灯するものである。
まず、街灯Ａに設置された街灯点灯制御装置（以下「街灯Ａ」）が車両の進入を検出する（１）と、街灯を点灯させ（２）、隣接する街灯Ｂに設置された街灯制御装置宛（以下「街灯Ｂ」）に点灯指示を無線送信する（３）。そして、一定時間経過後または車両通過後、街灯を消灯する（４）。
【００３０】
街灯Ｂは、街灯Ａからの点灯指示を受信し（５）、自己宛であることを確認すると、街灯を点灯する（６）。そして、車両の進入を検出すると、更に先の街灯Ｃに設置された街灯点灯制御装置に点灯指示を無線送信する（７）。
そして、以下同様にして順次点灯するようになっている。これにより、通常は街灯を消灯状態として、移動体の通行があって必要な時のみ点灯させ、大幅な節電を図ることができるものである。
【００３１】
［本街灯点灯制御装置の構成：図２］
次に、本街灯点灯制御装置の構成について図２を用いて説明する。図２は、本発明の実施の形態に係る街灯点灯制御装置（本装置）の構成ブロック図である。
図２に示すように、本装置は、照度センサ１と、移動体検知センサ２と、タイマ３と、無線部４と、制御部５とを備え、街灯本体（街灯）６に接続されている。
【００３２】
［各部の構成］
各構成部分について説明する。
照度センサ１は、従来と同様のものであり、周囲の照度（明るさ）を検出して、検出された照度のデータを制御部５に出力する。
移動体検知センサ２は、移動体の進入を検出するものであり、一定の範囲内に自動車や自転車等の車両が進入してきたことを検出すると、制御部５に移動体の進入を報知する信号を出力する。移動体検知センサ２は、移動体を検出している間は信号を出力し続け、移動体を検出しなくなると信号の出力を停止する。
タイマ３は、街灯点灯後、一定時間を計時して、タイムアップを制御部５に報知する。
無線部４は、隣接する街灯に設置された街灯点灯制御装置と無線信号の送受信を行う。
【００３３】
制御部５は、街灯本体の点灯／消灯を制御するものである。
本装置を用いたシステムでは、道路に沿って設置された街灯に取り付けられた街灯点灯制御装置にそれぞれＩＤが付されており、各々の街灯点灯制御装置は、自己のＩＤと、隣接する街灯点灯制御装置のＩＤを記憶している。
具体的には、制御部５は、内部に設けられたＩＤ記憶部に、「自己のＩＤ」と、「後方の街灯点灯制御装置のＩＤ（後方のＩＤ）」と、「前方の街灯点灯制御装置のＩＤ（前方のＩＤ）」とを記憶している。尚、「後方」「前方」は、本説明において両隣の街灯を識別するために便宜的に付しているものであって、車両の進行方向とは必ずしも一致していなくても構わない。
【００３４】
尚、ここでは説明を簡単にするために隣接する装置のＩＤとして２つのＩＤを記憶しているものとしたが、例えば、交差点等に設置された街灯点灯制御装置の場合等、隣接する装置のＩＤを３つ以上記憶していてもよい。
【００３５】
［制御部５の動作］
制御部５の動作について説明する。
そして、制御部５は、照度センサ１からの照度が予め設定された基準値未満であって周囲が暗い状況において、移動体検知センサ２から移動体を検出したことを示す信号を受けた場合、又は自己宛の無線信号で点灯指示を受信した場合に、街灯６を点灯する。
そして、移動体検知センサ２から移動体検出の信号の入力がなくなると、移動体が通過した判断して街灯を消灯する。
これにより、暗くない時や車両が通っていない時には街灯を消灯させることができ、節電を図ることができるものである。
また、制御部５は、街灯６を点灯するとタイマ３を起動し、タイマ３からタイムアップが入力されると、街灯６を消灯する。
【００３６】
ここで、制御部５は、自己の移動体検知センサ２で移動体の進入を検出して点灯した場合には、無線部４を介して、隣接する街灯点灯制御装置に点灯指示を送信する。その際、制御部５は、点灯指示に自己のＩＤを付して、記憶されている隣接する両方の街灯点灯制御装置のＩＤを宛先として送信する。これは、移動体検知センサ２で移動体の進入を検出した場合に、移動体の進行方向を正確に把握することが難しいためであり、本装置では、移動体が進行する可能性のある方向の街灯を全て点灯させるために、隣接する装置のＩＤとして記憶されている全てのＩＤ宛に点灯指示を送信するようにしている。
【００３７】
また、自己宛の無線信号で点灯指示を受信して街灯６を点灯した場合には、制御部５は、点灯指示の送信元のＩＤを保持しておき、移動体検知センサ２から移動体の進入を示す信号が入力されるのを予め設定された特定時間待って、移動体の進入があると、隣接する装置のＩＤの内、送信元ではない方のＩＤを宛先として無線部４から点灯指示を送信する。当該特定時間の計時は、上述した点灯から消灯までの一定時間を計時するタイマ３とは別のタイマで行う。
これにより、移動体の進行方向に設置されている街灯を順次点灯させることができるものである。特に、本装置では、無線信号によって点灯指示を迅速に伝達するので、移動体の進行速度に遅れることなく街灯を順次点灯させることができるものである。
【００３８】
また、点灯指示を受信して一旦は街灯を点灯したものの、当該街灯点灯制御装置が移動体の進行方向ではなかった場合には、それ以降移動体の進入を検出しないので、隣接する街灯点灯制御装置への点灯指示を送信することはなく、点灯した街灯はタイマ３のタイムアップで消灯することができ、無駄に長時間点灯させずに済むものである。
【００３９】
［制御部５における街灯の点灯／消灯制御］
次に、本装置の制御部５における街灯の点灯／消灯制御の処理について図３及び図４を用いて説明する。
本装置の制御部５では、街灯の点灯／消灯制御の処理として、自装置で移動体を検出して街灯を点灯する処理（移動体検出に基づく処理）と、隣接する装置からの点灯指示を受信して街灯を点灯する処理（点灯指示に基づく処理）とがある。
図３は、本装置の制御部５における移動体検出に基づく処理を示すフローチャート図であり、図４は、本装置の制御部５における点灯指示に基づく処理を示すフローチャート図である。
尚、図３に示す処理と図４に示す処理は、いずれも常時行われている処理である。
【００４０】
［移動体検出に基づく街灯の点灯／消灯制御：図３］
図３に示すように、移動体検出に基づく点灯／消灯制御の処理では、まず、制御部５は、街灯を消灯しておき（１００）、照度センサ１からの照度データに基づいて、検出された照度が基準値よりも低く、周囲が暗いかどうかを判断し（１０２）、照度が基準値よりも高く周囲が暗くない場合（Ｎｏの場合）には、制御部５は処理１００に戻って街灯を消灯する。
【００４１】
また、照度が基準値よりも低い場合には（Ｙｅｓの場合）、周囲が暗いと判断して、制御部５は、移動体検知センサ２から移動体の進入を検出したことを示す信号が入力されたかどうかを判断する（１０４）。処理１０４において、移動体の進入が検出されない場合（Ｎｏの場合）、制御部５は、処理１００に移行して街灯を消灯する。
【００４２】
また、処理１０４で移動体の進入を検出した場合（Ｙｅｓの場合）には、制御部５は、街灯６を点灯し、タイマを起動する（１１０）。そして、制御部５は、移動体の進行方向に関わらず、ＩＤ記憶部から隣接する両方の街灯点灯制御装置のＩＤを読み取り、送信元として自己のＩＤを付して、両方の装置宛に点灯指示を送信する（１０８）。
【００４３】
そして、制御部５は、移動体検知センサ２から移動体検出の信号が入力されなくなったかどうか、つまり移動体が通過したかどうかを判断し（１１０）、移動体が通過した場合（Ｙｅｓの場合）には処理１００に移行して街灯を消灯する。尚、移動体が停止した場合にも検出信号の入力がなくなるので、制御部５は処理１００に移行して街灯を消灯する。
【００４４】
処理１１０で、まだ検出信号が入力されており、移動体が通過していない場合（Ｎｏの場合）には、制御部５は、タイマ３がタイムアップしたかどうかを判断し（１１２）、まだタイムアップしていなければ（Ｎｏの場合）処理１１０に移行する。
そして、処理１１２でタイムアップした場合（Ｙｅｓの場合）には、制御部５は処理１００に移行して街灯を消灯する。これにより、街灯は点灯してから一定時間が経過すると消灯することができるものである。
このようにして、本装置の制御部５における移動体検出に基づく点灯／消灯制御の処理が行われるものである。
【００４５】
［点灯指示に基づく街灯の点灯／消灯制御：図４］
次に、本装置の制御部５における点灯指示に基づく街灯の点灯／消灯制御の処理について図４を用いて説明する。
図４に示すように、点灯指示に基づく処理では、まず、制御部５は、街灯を消灯しておき（２００）、照度センサ１からの照度データに基づいて、周囲が暗いかどうかを判断し（２０２）、暗くない場合（Ｎｏの場合）には、制御部５は処理２００に戻って街灯を消灯する。
【００４６】
また、処理２０２で周囲が暗かった場合（Ｙｅｓの場合）には、制御部５は、無線信号による点灯指示を受信したかどうかを判断し（２０４）、自己のＩＤが宛先に含まれる点灯指示を受信しない場合（Ｎｏの場合）、処理２００に移行して街灯を消灯する。
【００４７】
また、処理２０４で自己宛の点灯指示を受信した場合（Ｙｅｓの場合）には、制御部５は、受信した点灯指示に含まれる送付元のＩＤを保持しておき、街灯を点灯してタイマを起動する（２０６）。そして、制御部５は、予め設定されている特定時間内に、移動体検知センサ２から移動体の進入を検出したことを示す信号が入力されたかどうかを判断し（２０８）、移動体の進入がなかった場合（Ｎｏの場合）には、処理２００に移行して街灯を消灯する。
これにより、点灯指示を受信しても、移動体の進行方向ではない場合には、更にその隣の装置への点灯指示の送信は行われず、街灯が無駄に点灯するのを防ぐことができるものである。
【００４８】
処理２０８で移動体の進入を検出した場合（Ｙｅｓの場合）には、制御部５は、内部に記憶している隣接する街灯点灯制御装置のＩＤの内、処理２０４で受信した点灯指示の送信元になっていない方の街灯点灯制御装置に点灯指示を送信する。つまり、制御部５は、隣接する２つの装置のうち、受信した点灯指示の送信元になっていない方のＩＤを宛先とし、自身のＩＤを送信元として、点灯指示を送信する（２１０）。
【００４９】
そして、制御部５は、動体が通過したかどうかを判断し（２１２）、移動体が通過した場合（Ｙｅｓの場合）には処理２００に移行して街灯を消灯する。処理２１２で、まだ移動体が通過していない場合（Ｎｏの場合）には、タイマ３がタイムアップしたかどうかを判断し（１２４）、まだタイムアップしていなければ処理２１２に移行して、移動体の通過またはタイムアップを監視する。
そして、処理２２４でタイムアップした場合（Ｙｅｓの場合）には、制御部５は処理２００に移行して街灯を消灯する。
このようにして本装置の制御部５における点灯指示に基づく点灯／消灯制御の処理が行われるものである。
【００５０】
［応用例］
また、上述した例では、各装置は隣接する装置のＩＤを通常２つ記憶しているものとしたが、無線部４からの送信電波が届く範囲に複数の街灯が設置されている場合には、前方、後方それぞれの方向について複数の装置のＩＤを近傍に位置する装置のＩＤとして記憶しておき、点灯指示を複数の装置に送信するようにしてもよい。
これにより、より高速に移動する移動体に対応して街灯をスムーズに点灯させることができるものである。
【００５１】
この場合、点灯指示を受信した制御部５は、自己のＩＤを付して点灯指示を送信する際に、受信した点灯指示の送信元となっているＩＤ（送信元ＩＤ）と、送信元ＩＤと同じ方向に対応して記憶されているＩＤを除き、他のＩＤに点灯指示を送信するものである。前方と後方の２方向について記憶されている場合には、送信元ＩＤとは反対側の方向に対応して記憶されているＩＤを宛先として、点灯指示を送信するものである。
【００５２】
例えば、後方に対応してＩＤ（１）、ＩＤ（２）を記憶し、前方に対応してＩＤ（３）、ＩＤ（４）を記憶しており、ＩＤ（１）からの点灯指示を受信した場合、送信元のＩＤ（１）と、送信元のＩＤ（１）と同じ後方に対応して記憶されているＩＤ（２）を除き、他に記憶されているＩＤ（３）とＩＤ（４）に点灯指示を送信するようになっている。
【００５３】
更に交差点等に設置された装置では、後方と前方の他にも左右等の方向性を持たせて複数の装置のＩＤを記憶しておくことが可能であり、この場合にも送信元及びその方向に対応するＩＤ以外のＩＤに点灯指示を送信するものである。
【００５４】
尚、移動体検知センサ２で移動体の進入を検出した場合には、制御部５は、近傍に位置する装置のＩＤを全て読み取って、それらを宛先とする点灯指示を送信するものである。
【００５５】
［実施の形態の効果］
本発明の実施の形態に係る街灯点灯制御装置によれば、制御部５のＩＤ記憶部に、自己のＩＤと、隣接する２つの街灯点灯制御装置のＩＤとを記憶しておき、照度センサ１からの検出照度が基準値以下の場合に、移動体検知センサ２で移動体の進入を検出すると、制御部５が、街灯６を点灯し、自己のＩＤを送信元とし、隣接する両方の街灯点灯制御装置のＩＤを宛先として点灯指示を無線送信し、移動体が通過した場合又は一定時間が経過した場合に街灯６を消灯する処理を行う街灯点灯制御装置としているので、移動体が進入してきた場合のみ街灯６を点灯させ、移動体の通行がない場合には消灯して大幅に節電でき、二酸化炭素の排出量削減を図ることができ、更に隣接する街灯を点灯させることで移動体の通行を容易にすることができる効果がある。
【００５６】
また、本装置によれば、照度センサ１からの検出照度が基準値以下の場合に、自己宛の点灯指示を受信すると、制御部５が、街灯６を点灯し、一定時間内に移動体検知センサ２で移動体の進入を検出した場合には、自己のＩＤを送信元とし、受信した点灯指示の送信元ではない隣接する街灯点灯制御装置のＩＤを宛先として点灯指示を送信する街灯点灯制御装置としているので、移動体の走行時には移動体の進行方向に設置された街灯を次々と点灯させて移動体の通行を容易にすることができ、また、進行方向でない街灯は点灯させないようにして、節電を図ることができる効果がある。
【００５７】
また、本装置によれば、ＩＤ記憶部に、方向に対応付けて、近傍に位置する複数の街灯点灯制御装置のＩＤを記憶しておき、制御部５が、点灯指示を受信して街灯を点灯して近傍の装置に点灯指示を送信する場合、受信した点灯指示の送信元と、当該送信元と同じ方向に対応して記憶されている装置のＩＤを除く他の近傍に位置する装置のＩＤを宛先として点灯指示を送信するようにしているので、より先の方の街灯を点灯させることができ、高速で移動している移動体に遅れることなく街灯を点灯させることができ安全性を向上できる効果がある。
【００５８】
尚、本実施の形態では、道路に設けられた街灯の制御について説明したが、トンネルや地下鉄等に設けられた照明装置にも同様にして適用可能であり、大幅な節電を図ることができる効果がある。
【産業上の利用可能性】
【００５９】
本発明は、街灯の無駄な点灯をなくして大幅な節電を図ることができる街灯点灯制御装置に適している。
【図面の簡単な説明】
【００６０】
【図１】本発明の実施の形態に係る街灯点灯制御装置の基本的な動作の概略を示す模式説明図である。
【図２】本発明の実施の形態に係る街灯点灯制御装置（本装置）の構成ブロック図である。
【図３】本装置の制御部５における移動体検出に基づく処理を示すフローチャート図である。
【図４】本装置の制御部５における点灯指示に基づく処理を示すフローチャート図である。
【符号の説明】
【００６１】
１…照度センサ、  ２…移動体検知センサ、  ３…タイマ、  ４…無線部、  ５…制御部
【図１】
2009259584.tif 000003
【図２】
2009259584.tif 000004
【図３】
2009259584.tif 000005
【図４】
2009259584.tif 000006